(57)【要約】【課題】  従来の電子棚札端末装置と比較して、部品コストをより低くすることができ、部品実装スペースをより小さくすることができ、消費電力をより低減することができる。【解決手段】  電子棚札端末装置１１の受信部１１１は、電子棚札端末装置１１〜１３が表示する表示内容を示す表示用情報を管理する管理装置から送信された表示用情報を受信する。ＣＰＵ１１２は、受信部１１１が受信した表示用情報に基づいて、表示部１１３の制御を行う。電子棚札端末装置１２の表示制御用ＣＰＵ１２２は、受信部１１１が受信した表示用情報に基づいて、表示部１２３の制御を行う。電子棚札端末装置１３の表示制御用ＣＰＵ１３２は、受信部１１１が受信した表示用情報に基づいて表示部１３３の制御を行う。【選択図】  図２
2009163340.tif 000002
【特許請求の範囲】
【請求項１】
商品の価格等を表示する表示部を備えた複数の電子棚札端末装置を備えた電子棚札端末システムであって、
前記複数の電子棚札端末装置のうち、１の前記電子棚札端末装置は、
前記複数の電子棚札端末装置が表示する表示内容を示す表示用情報を管理する管理装置から送信された前記表示用情報を受信する受信部と、
前記受信部の制御を行い、かつ前記受信部が受信した前記表示用情報に基づいて、自電子棚札端末装置の前記表示部の制御を行うＣＰＵと、
を備え、
前記複数の電子棚札端末装置のうち、前記１の電子棚札端末装置以外の前記電子棚札端末装置は、
前記受信部が受信した前記表示用情報に基づいて、自電子棚札端末装置の前記表示部の制御を行う表示制御用ＣＰＵと、
を備えたことを特徴とする電子棚札端末システム。
【請求項２】
複数の電子棚札端末装置を備えた電子棚札端末システムであって、
前記複数の電子棚札端末装置が表示する表示内容を示す表示用情報を管理する管理装置から送信された前記表示用情報を受信する受信部と、前記受信部の制御を行う無線制御用ＣＰＵと、を備えた電子棚札端末制御装置と、
商品の価格等を表示する表示部と、前記受信部が受信した前記表示用情報に基づいて、前記表示部の制御を行う表示制御用ＣＰＵと、を備えた前記電子棚札端末装置と、
を備えたことを特徴とする電子棚札端末システム。
【請求項３】
商品の価格等を表示する表示部を備えた複数の電子棚札端末装置を備えた電子棚札端末システムであって、
前記複数の電子棚札端末装置のうち、１の前記電子棚札端末装置のみが、
前記複数の電子棚札端末装置が表示する表示内容を示す表示用情報を管理する管理装置から送信された前記表示用情報を受信する受信部と、
前記受信部の制御を行い、かつ前記受信部が受信した前記表示用情報に基づいて、前記表示部の制御を行うＣＰＵと、
を備えたことを特徴とする電子棚札端末システム。
【請求項４】
商品の価格等を表示する表示部を備えた複数の電子棚札端末装置を備えた電子棚札端末システムであって、
前記複数の電子棚札端末装置が表示する表示内容を示す表示用情報を管理する管理装置から送信された前記表示用情報を受信する受信部と、前記受信部の制御を行い、かつ前記受信部が受信した前記表示用情報に基づいて、前記表示部の制御を行うＣＰＵとを備えた電子棚札端末制御装置と、
を備えたことを特徴とする電子棚札端末システム。
【請求項５】
１つの基板上に構成され、商品の価格等を表示する表示部を備えた複数の電子棚札端末装置を備えた電子棚札端末システムであって、
前記複数の電子棚札端末装置が表示する表示内容を示す表示用情報を管理する管理装置から送信された前記表示用情報を受信する受信部と、
前記受信部の制御を行い、かつ前記受信部が受信した前記表示用情報に基づいて、前記表示部の制御を行うＣＰＵと
を前記基板上に備えた
ことを特徴とする電子棚札端末システム。
【請求項６】
１つの基板上に構成された複数の電子棚札端末装置を備えた電子棚札端末システムであって、
前記複数の電子棚札端末装置が表示する表示内容を示す表示用情報を管理する管理装置から送信された前記表示用情報を受信する受信部と、
前記受信部が受信した前記表示内容を表示する表示部と、
前記受信部の制御を行い、かつ前記受信部が受信した前記表示用情報に基づいて、前記表示部の制御を行うＣＰＵと
を前記基板上に備えた
ことを特徴とする電子棚札端末システム。
【請求項７】
表示部と、前記表示部を制御する表示セグメントドライバとを備え、１つの基板上に構成された複数の電子棚札端末装置を備えた電子棚札端末システムであって、
前記複数の電子棚札端末装置が表示する表示内容を示す表示用情報を管理する管理装置から送信された前記表示用情報を受信する受信部と、
前記表示部を制御する表示コモンドライバと、
前記受信部の制御を行い、かつ前記受信部が受信した前記表示用情報に基づいて、前記表示セグメントドライバと前記表示コモンドライバとを制御し、前記表示部の制御を行うＣＰＵと、
を前記基板上に備えた
ことを特徴とする電子棚札端末システム。
【請求項８】
請求項１から請求項７のいずれか１項に記載の電子棚札端末システムと、
前記電子棚札端末システム内の複数の電子棚札端末装置に表示させる表示内容に対応する表示用情報を管理するとともに、前記電子棚札端末システムとの間で前記表示用情報を送受信する管理装置と、
を備えることを特徴とする電子棚札システム。
【請求項９】
前記電子棚札端末システムと前記管理装置との通信を中継する中継機
を備えることを特徴とする請求項８に記載の電子棚札システム。
【発明の詳細な説明】
【技術分野】
【０００１】
本発明は、商品の金額等を表示する電子棚札端末システムおよび電子棚札システムに関する。
【背景技術】
【０００２】
スーパーマーケットあるいはコンビニエンスストアなどの小売店で、商品の金額等を表示する電子棚札端末装置が知られている（例えば、特許文献１参照）。電子棚札端末装置が表示する表示内容を管理する管理装置から送信された表示用情報を電子棚札端末装置は受信し、自身が備える表示部に受信した表示用情報に基づいて商品の価格等を表示する。また、電子棚札端末装置は商品の種類毎に設置されるため、１つの店舗に複数設置される。
【０００３】
図９は電子棚札端末装置の構成を示した図である。電子棚札端末装置８１は、無線通信部８０１と、ＣＰＵ（中央処理装置、Ｃｅｎｔｒａｌ  Ｐｒｏｃｅｓｓｉｎｇ  Ｕｎｉｔ）８０２と、表示部８０３と、表示セグメントドライバ８０４と、表示コモンドライバ８０５とを備える。
【０００４】
ＣＰＵ８０２は、無線通信部８０１と、表示セグメントドライバ８０４と、表示コモンドライバ８０５を制御する機能を有している。ＣＰＵ８０２は、無線通信部８０１を制御し、管理装置から送信された表示用情報を受信する。また、ＣＰＵ８０２は、無線通信部８０１を介して受信した表示用情報に基づいて、表示セグメントドライバ８０４と、表示コモンドライバ８０５を制御し、表示部８０３に商品の価格等を表示させる。図示する例では、ＣＰＵ８０２は表示部８０３に１００円と表示させている。なお、表示部８０３は液晶パネルであり、表示セグメントドライバ８０４と、表示コモンドライバ８０５は、表示部８０３の表示を制御する。
【０００５】
【特許文献１】特開２００１−２０９８６１号公報
【発明の開示】
【発明が解決しようとする課題】
【０００６】
しかしながら、従来では、店舗内に設置されている全ての電子棚札端末装置８１は、無線通信部８０１と、無線通信部８０１を制御する機能を有するＣＰＵ８０２とを備えており、部品コストが高く、部品実装スペースが大きく、消費電力が大きいという問題があった。
【０００７】
本発明は上記の課題を解決するためになされたものであり、従来と比較して、部品コストをより低くすることができ、部品実装スペースをより小さくすることができ、消費電力をより低減することができる電子棚札端末システムを提供することを目的とする。
【課題を解決するための手段】
【０００８】
本発明は、商品の価格等を表示する表示部を備えた複数の電子棚札端末装置を備えた電子棚札端末システムであって、前記複数の電子棚札端末装置のうち、１の前記電子棚札端末装置は、前記複数の電子棚札端末装置が表示する表示内容を示す表示用情報を管理する管理装置から送信された前記表示用情報を受信する受信部（無線通信部）と、前記受信部の制御を行い、かつ前記受信部が受信した前記表示用情報に基づいて、自電子棚札端末装置の前記表示部の制御を行うＣＰＵと、を備え、前記複数の電子棚札端末装置のうち、前記１の電子棚札端末装置以外の前記電子棚札端末装置は、前記受信部が受信した前記表示用情報に基づいて、自電子棚札端末装置の前記表示部の制御を行う表示制御用ＣＰＵと、を備えたことを特徴とする電子棚札端末システムである。
【０００９】
また、本発明は、複数の電子棚札端末装置を備えた電子棚札端末システムであって、前記複数の電子棚札端末装置が表示する表示内容を示す表示用情報を管理する管理装置から送信された前記表示用情報を受信する受信部と、前記受信部の制御を行う無線制御用ＣＰＵと、を備えた電子棚札端末制御装置と、商品の価格等を表示する表示部と、前記受信部が受信した前記表示用情報に基づいて、前記表示部の制御を行う表示制御用ＣＰＵと、を備えた前記電子棚札端末装置と、を備えたことを特徴とする電子棚札端末システムである。
【００１０】
また、本発明は、商品の価格等を表示する表示部を備えた複数の電子棚札端末装置を備えた電子棚札端末システムであって、前記複数の電子棚札端末装置のうち、１の前記電子棚札端末装置のみが、前記複数の電子棚札端末装置が表示する表示内容を示す表示用情報を管理する管理装置から送信された前記表示用情報を受信する受信部と、前記受信部の制御を行い、かつ前記受信部が受信した前記表示用情報に基づいて、前記表示部の制御を行うＣＰＵと、を備えたことを特徴とする電子棚札端末システムである。
【００１１】
また、本発明は、商品の価格等を表示する表示部を備えた複数の電子棚札端末装置を備えた電子棚札端末システムであって、前記複数の電子棚札端末装置が表示する表示内容を示す表示用情報を管理する管理装置から送信された前記表示用情報を受信する受信部と、前記受信部の制御を行い、かつ前記受信部が受信した前記表示用情報に基づいて、前記表示部の制御を行うＣＰＵとを備えた電子棚札端末制御装置と、を備えたことを特徴とする電子棚札端末システムである。
【００１２】
また、本発明は、１つの基板上に構成され、商品の価格等を表示する表示部を備えた複数の電子棚札端末装置を備えた電子棚札端末システムであって、前記複数の電子棚札端末装置が表示する表示内容を示す表示用情報を管理する管理装置から送信された前記表示用情報を受信する受信部と、前記受信部の制御を行い、かつ前記受信部が受信した前記表示用情報に基づいて、前記表示部の制御を行うＣＰＵとを前記基板上に備えたことを特徴とする電子棚札端末システムである。
【００１３】
また、本発明は、１つの基板上に構成された複数の電子棚札端末装置を備えた電子棚札端末システムであって、前記複数の電子棚札端末装置が表示する表示内容を示す表示用情報を管理する管理装置から送信された前記表示用情報を受信する受信部と、前記受信部が受信した前記表示内容を表示する表示部と、前記受信部の制御を行い、かつ前記受信部が受信した前記表示用情報に基づいて、前記表示部の制御を行うＣＰＵとを前記基板上に備えたことを特徴とする電子棚札端末システムである。
【００１４】
また、本発明は、表示部と、前記表示部を制御する表示セグメントドライバとを備え、１つの基板上に構成された複数の電子棚札端末装置を備えた電子棚札端末システムであって、前記複数の電子棚札端末装置が表示する表示内容を示す表示用情報を管理する管理装置から送信された前記表示用情報を受信する受信部と、前記表示部を制御する表示コモンドライバと、前記受信部の制御を行い、かつ前記受信部が受信した前記表示用情報に基づいて、前記表示セグメントドライバと前記表示コモンドライバとを制御し、前記表示部の制御を行うＣＰＵと、を前記基板上に備えたことを特徴とする電子棚札端末システムである。
【００１５】
また、本発明は、電子棚札端末システムと、前記電子棚札端末システム内の複数の電子棚札端末装置に表示させる表示内容に対応する表示用情報を管理するとともに、前記電子棚札端末システムとの間で前記表示用情報を送受信する管理装置と、を備えることを特徴とする電子棚札システムである。
【００１６】
また、本発明は、前記電子棚札端末システムと前記管理装置との通信を中継する中継機を備えることを特徴とする電子棚札システムである。
【発明の効果】
【００１７】
この発明によれば、従来の電子棚札端末装置と比較して、部品コストをより低くすることができ、部品実装スペースをより小さくすることができ、消費電力をより低減することが可能となる。
【発明を実施するための最良の形態】
【００１８】
（第１の実施形態）
以下、本発明の第１の実施形態について図面を参照して説明する。図１は、本実施形態による電子棚札端末システムを有する電子棚札システムの構成を示す図である。図示する例では、電子棚札システムは、管理装置１（棚札表示制御装置）と、上位機器２と、ユーザ端末３と、中継器４と、複数の電子棚札端末システム５とを備える。
【００１９】
管理装置１は電子棚札システムを管理する装置である。上位機器２はサーバやＰＯＳシステム等の上位機器である。ユーザ端末３は店舗の店員などが利用する携帯端末などの装置である。中継器４は、管理装置１が送信する表示データなどのデータを中継する装置である。電子棚札端末システム５は複数の電子棚札端末装置を含んだシステムであり、中継器４によって中継された表示データを表示する。電子棚札端末システム５の構成については後述する。
【００２０】
管理装置１は通信ネットワークを介して上位機器２、ユーザ端末３、中継器４と通信接続されている。また中継器４と電子棚札端末システム５が無線によって接続されている。
【００２１】
管理装置１は、店舗の棚に陳列される多数の商品の情報である商品情報それぞれと、多数の電子棚札端末装置が備える識別情報とを対応させて、個々の電子棚札端末装置に表示させる表示データを記憶し、通信ネットワーク及び中継機４を介して電子棚札端末システム５との間で互いに情報通信を行う。管理装置１が記憶する表示データは、上位機器２やユーザ端末３が備えるキーボードやタッチパネルなどの入力部からの入力により変更することが可能となっている。
【００２２】
なお、図１に示した電子棚札システムの例では、中継器４を介して管理装置１と電子棚札端末システム５とが無線接続しているが、中継器４は必ずしも必要ではなく、管理装置１と電子棚札端末システム５とをダイレクトに無線接続しても良い。
【００２３】
図２は、本実施形態での電子棚札端末システムの構成を示した構成図である。電子棚札端末システムは、複数の電子棚札端末装置を含んだシステムである。図示する例では、電子棚札端末システムは、電子棚札端末装置１１〜１３の３つの電子棚札端末装置を含んだ構成である。電子棚札端末装置１１と、電子棚札端末装置１２と、電子棚札端末装置１３とは有線で接続されており、互いに情報を入出力することができる。
【００２４】
電子棚札端末装置１１は、無線通信部１１１と、ＣＰＵ１１２と、表示部１１３と、表示セグメントドライバ１１４と、表示コモンドライバ１１５とを備える。電子棚札端末装置１２は、表示制御用ＣＰＵ１２２と、表示部１２３と、表示セグメントドライバ１２４と、表示コモンドライバ１２５とを備える。電子棚札端末装置１３は、表示制御用ＣＰＵ１３２と、表示部１３３と、表示セグメントドライバ１３４と、表示コモンドライバ１３５とを備える。
【００２５】
ＣＰＵ１１２は、無線通信部１１１と、表示セグメントドライバ１１４と、表示コモンドライバ１１５を制御する機能を有している。ＣＰＵ１１２は、無線通信部１１１を制御し、管理装置から送信された表示用情報を受信する。また、ＣＰＵ１１２は、無線通信部１１１を介して受信した表示用情報に基づいて、表示セグメントドライバ１１４と、表示コモンドライバ１１５を制御し、表示部１１３に商品の価格等を表示させる。表示させる手順については後述する。
【００２６】
表示制御用ＣＰＵ１２２，１３２は、表示セグメントドライバ１２４，１３４と、表示コモンドライバ１２５，１３５を制御する機能を有している。表示制御用ＣＰＵ１２２，１３２は、ＣＰＵ１１２が無線通信部１１１を介して受信した表示用情報に基づいて、表示セグメントドライバ１２４，１３４と、表示コモンドライバ１２５，１３５を制御し、表示部１２３，１３３に商品の価格等を表示させる。表示させる手順については後述する。
【００２７】
なお、表示部１１３，１２３，１３３は液晶パネルである。また、表示セグメントドライバ１１４，１２４，１３４と、表示コモンドライバ１１５，１２５，１３５は、表示部１１３の表示を制御する。
【００２８】
また、電子棚札端末装置１１が備えるＣＰＵ１１２は、内蔵または外付けのメモリ（記憶部）を備えており、電子棚札端末装置１１〜１３が持つ固有のＩＤ情報をメモリ内に格納している。例えば、電子棚札端末装置１１のＩＤ情報は「１１」であり、電子棚札端末装置１２のＩＤ情報は「１２」であり、電子棚札端末装置１３のＩＤ情報は「１３」であると予め設定する。
【００２９】
また、電子棚札端末装置１２が備える表示制御用ＣＰＵ１２２は内蔵または外付けのメモリ（記憶部）を備えており、電子棚札端末装置１２が持つ固有のＩＤ情報をメモリ内に格納している。同様に、電子棚札端末装置１３が備える表示制御用ＣＰＵ１３２は内蔵または外付けのメモリ（記憶部）を備えており、電子棚札端末装置１３が持つ固有のＩＤ情報をメモリ内に格納している。
【００３０】
次に、本実施形態において、電子棚札端末装置１１〜１３が価格などの情報を表示する手順ついて説明する。以下、管理装置が、価格等の情報と電子棚札端末装置１１のＩＤ情報「１１」とを含んだ表示用情報を電子棚札端末システムに送信する例を説明する。
【００３１】
電子棚札端末装置１１のＣＰＵ１１２は、無線通信部１１１を介して電子棚札端末装置１１のＩＤ情報「１１」を含んだ表示用情報を受信する。続いて、受信した表示用情報に含まれるＩＤ情報は「１１」であるため、ＣＰＵ１１２は、自身のメモリに表示用情報を格納する。続いて、ＣＰＵ１１２は表示タイミング信号を生成する。その後、ＣＰＵ１１２は、表示タイミング信号と表示用情報とを表示セグメントドライバ１１４と、表示コモンドライバ１１５とに送信し、表示部１１３に価格等を表示させる。
【００３２】
また、管理装置が、価格等の情報と電子棚札端末装置１２のＩＤ情報「１２」とを含んだ表示用情報を電子棚札端末システムに送信する例を説明する。
【００３３】
電子棚札端末装置１１のＣＰＵ１１２は、無線通信部１１１を介して電子棚札端末装置１２のＩＤ情報「１２」を含んだ表示用情報を受信する。続いて、受信した表示用情報に含まれるＩＤ情報は「１２」であるため、ＣＰＵ１１２は、電子棚札端末装置１２の表示制御用ＣＰＵ１２２に表示用情報を送る。続いて、表示制御用ＣＰＵ１２２は、自身のメモリに受け取った表示用情報を格納する。続いて、表示制御用ＣＰＵ１２２は表示タイミング信号を生成する。その後、表示制御用ＣＰＵ１２２は、表示タイミング信号と表示用情報とを表示セグメントドライバ１２４と、表示コモンドライバ１２５とに送信し、表示部１２３に価格等を表示させる。
【００３４】
なお、管理装置が、価格等の情報と電子棚札端末装置１３のＩＤ情報「１３」とを含んだ表示用情報を電子棚札端末システムに送信する例については、電子棚札端末装置１２のＩＤ情報「１２」とを含んだ情報を電子棚札端末装置グループに送信する例と同様に、電子棚札端末装置１１のＣＰＵ１１２は表示用情報に含まれたＩＤ情報に基づいて、該当する電子棚札端末装置１３に表示用情報を送り、受け取った電子棚札端末装置１３の表示制御用ＣＰＵ１３２が表示処理を行う。
【００３５】
上述したとおり、電子棚札端末システムに含まれる電子棚札端末装置１１〜１３のうち、電子棚札端末装置１１のみが無線通信部１１１およびＣＰＵ１１２を備え、電子棚札端末装置１２，１３は無線通信部およびＣＰＵを備えることなく、表示制御用ＣＰＵ１２２，１３２を備えることで、管理装置から送信された表示用情報を受信し、自身が備える表示部１１３，１２３，１３３に受信した表示用情報に基づいて商品の価格等を表示することができる。よって、従来の電子棚札端末装置と比較して、無線通信部の数が少なく済み、かつ無線制御および表示制御が可能なＣＰＵの代わりに表示制御用ＣＰＵの搭載で済むため、部品コストをより低くすることができ、部品実装スペースをより小さくすることができ、消費電力をより低減することが可能となる。
【００３６】
（第２の実施形態）
以下、本発明の第２の実施形態について図面を参照して説明する。電子棚札端末システムを有する電子棚札システムの構成については第１の実施形態と同様である。図３は、本実施形態での電子棚札端末システムの構成を示した構成図である。電子棚札端末システムは、複数の電子棚札端末装置を含んだシステムである。図示する例では、電子棚札端末システムは、電子棚札端末制御装置２０と、電子棚札端末装置２１〜２３の３つの電子棚札端末装置とを含んだ構成である。電子棚札端末制御装置２０と、電子棚札端末装置２１と、電子棚札端末装置２２と、電子棚札端末装置２３とは有線で接続されており、互いに情報を入出力することができる。
【００３７】
電子棚札端末制御装置２０は、無線通信部２０１と、無線制御用ＣＰＵ２０２とを備える。電子棚札端末装置２１は、表示制御用ＣＰＵ２１２と、表示部２１３と、表示セグメントドライバ２１４と、表示コモンドライバ２１５とを備える。電子棚札端末装置２２は、表示制御用ＣＰＵ２２２と、表示部２２３と、表示セグメントドライバ２２４と、表示コモンドライバ２２５とを備える。電子棚札端末装置２３は、表示制御用ＣＰＵ２３２と、表示部２３３と、表示セグメントドライバ２３４と、表示コモンドライバ２３５とを備える。
【００３８】
無線制御用ＣＰＵ２０２は、無線通信部２０１を制御する機能を有している。無線制御用ＣＰＵ２０２は、無線通信部２０１を制御し、管理装置から送信された表示用情報を受信する。また、無線制御用ＣＰＵ２０２は、受信した表示用情報を表示制御用ＣＰＵ２１２，２２２，２３２に出力する。
【００３９】
表示制御用ＣＰＵ２１２，２２２，２３２は、表示セグメントドライバ２１４，２２４，２３４と、表示コモンドライバ２１５，２２５，２３５とを制御する機能を有している。表示制御用ＣＰＵ２１２，２２２，２３２は、無線制御用ＣＰＵ２０２から入力された表示用情報に基づいて、表示セグメントドライバ２１４，２２４，２３４と、表示コモンドライバ２１５，２２５，２３５とを制御し、表示部２１３，２２３，２３３に商品の価格等を表示させる。表示させる手順については後述する。
【００４０】
なお、表示部２１３，２２３，２３３は液晶パネルである。また、表示セグメントドライバ２１４，２２４，２３４と、表示コモンドライバ２１５，２２５，２３５は、表示部１１３の表示を制御する。
【００４１】
また、電子棚札端末制御装置２０が備える無線制御用ＣＰＵ２０２は、内蔵または外付けのメモリ（記憶部）を備えており、電子棚札端末装置２１〜２３が持つ固有のＩＤ情報をメモリ内に格納している。例えば、電子棚札端末装置２１のＩＤ情報は「２１」であり、電子棚札端末装置２２のＩＤ情報は「２２」であり、電子棚札端末装置２３のＩＤ情報は「２３」であると予め設定する。
【００４２】
また、電子棚札端末装置２１が備える表示制御用ＣＰＵ２１２は内蔵または外付けのメモリ（記憶部）を備えており、電子棚札端末装置２１が持つ固有のＩＤ情報をメモリ内に格納している。同様に、電子棚札端末装置２２が備える表示制御用ＣＰＵ２２２は内蔵または外付けのメモリ（記憶部）を備えており、電子棚札端末装置２２が持つ固有のＩＤ情報をメモリ内に格納している。また、電子棚札端末装置２３が備える表示制御用ＣＰＵ２３２は内蔵または外付けのメモリ（記憶部）を備えており、電子棚札端末装置２３が持つ固有のＩＤ情報をメモリ内に格納している。
【００４３】
次に、本実施形態において、電子棚札端末装置２１〜２３が価格などの情報を表示する手順ついて説明する。以下、管理装置が、価格等の情報と電子棚札端末装置２１のＩＤ情報「２１」とを含んだ表示用情報を電子棚札端末システムに送信する例を説明する。
【００４４】
電子棚札端末制御装置２０の無線制御用ＣＰＵ２０２は、無線通信部２０１を介して電子棚札端末装置２１のＩＤ情報「２１」を含んだ表示用情報を受信する。続いて、受信した表示用情報に含まれるＩＤ情報は「２１」であるため、無線制御用ＣＰＵ２０２は、電子棚札端末装置２１の表示制御用ＣＰＵ２１２に表示用情報を送る。続いて、表示制御用ＣＰＵ２１２は、自身のメモリに受け取った表示用情報を格納する。続いて、表示制御用ＣＰＵ２１２は表示タイミング信号を生成する。その後、表示制御用ＣＰＵ２１２は、表示タイミング信号と表示用情報とを表示セグメントドライバ２１４と、表示コモンドライバ２１５とに送信し、表示部２１３に価格等を表示させる。
【００４５】
なお、管理装置が、価格等の情報と電子棚札端末装置２２のＩＤ情報「２２」とを含んだ表示用情報を電子棚札端末システムに送信する例については、電子棚札端末装置２１のＩＤ情報「２１」とを含んだ情報を電子棚札端末装置グループに送信する例と同様に、電子棚札端末制御装置２０の無線制御用ＣＰＵ２０２は表示用情報に含まれたＩＤ情報に基づいて、該当する電子棚札端末装置２２に表示用情報を送り、受け取った電子棚札端末装置２２の表示制御用ＣＰＵ２２２が表示処理を行う。
【００４６】
上述したとおり、電子棚札端末システムは電子棚札端末制御装置２０を含み、電子棚札端末制御装置２０のみが無線通信部２０１および無線制御用ＣＰＵ２０２を備え、電子棚札端末装置２１，２２，２３は無線通信部および無線制御用ＣＰＵを備えることなく、表示制御用ＣＰＵ２１２，２２２，２３２を備えることで、管理装置から送信された表示用情報を受信し、受信した表示用情報に基づいて表示部２１３，２２３，２３３に商品の価格等を表示することができる。よって、従来の電子棚札端末装置と比較して、無線通信部の数が少なく済み、無線制御かつ表示制御が可能なＣＰＵを一つも使用することなく、電子棚札端末制御装置は無線制御用ＣＰＵを搭載し、電子棚札端末装置は表示制御用ＣＰＵの搭載するため、部品コストをより低くすることが可能となる。
【００４７】
（第３の実施形態）
以下、本発明の第３の実施形態について図面を参照して説明する。電子棚札端末システムを有する電子棚札システムの構成については第１の実施形態と同様である。図４は、本実施形態での電子棚札端末システムの構成を示した構成図である。電子棚札端末システムは、複数の電子棚札端末装置を含んだシステムである。図示する例では、電子棚札端末システムは、電子棚札端末装置３１〜３３の３つの電子棚札端末装置を含んだ構成である。電子棚札端末装置３１と、電子棚札端末装置３２と、電子棚札端末装置３３とは有線で接続されており、互いに情報を入出力することができる。
【００４８】
電子棚札端末装置３１は、無線通信部３１１と、ＣＰＵ３１２と、表示部３１３と、表示セグメントドライバ３１４と、表示コモンドライバ３１５とを備える。電子棚札端末装置３２は、表示部３２３と、表示セグメントドライバ３２４と、表示コモンドライバ３２５とを備える。電子棚札端末装置３３は、表示部３３３と、表示セグメントドライバ３３４と、表示コモンドライバ３３５とを備える。
【００４９】
ＣＰＵ３１２は、無線通信部３１１と、表示セグメントドライバ３１４，３２４，３３４と、表示コモンドライバ３１５，３２５，３３５とを制御する機能を有している。ＣＰＵ３１２は、無線通信部３１１を制御し、管理装置から送信された表示用情報を受信する。また、ＣＰＵ３１２は、無線通信部３１１を介して受信した表示用情報に基づいて、表示セグメントドライバ３１４，３２４，３３４と、表示コモンドライバ３１５，３２５，３３５とを制御し、表示部３１３，３２３，３３３に商品の価格等を表示させる。表示させる手順については後述する。
【００５０】
なお、表示部３１３，３２３，３３３は液晶パネルである。また、表示セグメントドライバ３１４，３２４，３３４と、表示コモンドライバ３１５，３２５，３３５は、表示部３１３，３２３，３３３の表示を制御する。
【００５１】
また、電子棚札端末装置３１が備えるＣＰＵ３１２は、内蔵または外付けのメモリ（記憶部）を備えており、電子棚札端末装置３１〜３３が持つ固有のＩＤ情報をメモリ内に格納している。例えば、電子棚札端末装置３１のＩＤ情報は「３１」であり、電子棚札端末装置３２のＩＤ情報は「３２」であり、電子棚札端末装置３３のＩＤ情報は「３３」であると予め設定する。
【００５２】
次に、本実施形態において、電子棚札端末装置３１〜３３が価格などの情報を表示する手順ついて説明する。以下、管理装置が、価格等の情報と電子棚札端末装置３１のＩＤ情報「３１」とを含んだ表示用情報を電子棚札端末システムに送信する例を説明する。
【００５３】
電子棚札端末装置３１のＣＰＵ３１２は、無線通信部３１１を介して電子棚札端末装置３１のＩＤ情報「３１」を含んだ表示用情報を受信する。続いて、受信した表示用情報に含まれるＩＤ情報は自電子棚札端末装置のＩＤ情報「３１」であるため、ＣＰＵ３１２は、自身のメモリに表示用情報を格納する。続いて、ＣＰＵ３１２は表示タイミング信号を生成する。その後、ＣＰＵ３１２は、表示タイミング信号と表示用情報とを表示セグメントドライバ３１４と、表示コモンドライバ３１５とに送信し、表示部３１３に価格等を表示させる。
【００５４】
また、管理装置が、価格等の情報と電子棚札端末装置３２のＩＤ情報「３２」とを含んだ表示用情報を電子棚札端末システムに送信する例を説明する。
【００５５】
電子棚札端末装置３１のＣＰＵ３１２は、無線通信部３１１を介して電子棚札端末装置３２のＩＤ情報「３２」を含んだ表示用情報を受信する。続いて、受信した表示用情報に含まれるＩＤ情報は、自電子棚札端末システムに含まれている電子棚札端末装置３２のＩＤ情報であるため、ＣＰＵ３１２は、自身のメモリに表示用情報を格納する。続いて、ＣＰＵ３１２は表示タイミング信号を生成する。その後、ＣＰＵ３１２は、表示タイミング信号と表示用情報とを電子棚札端末装置３２の表示セグメントドライバ３２４と、表示コモンドライバ３２５とに送信し、表示部３２３に価格等を表示させる。
【００５６】
なお、管理装置が、価格等の情報と電子棚札端末装置３３のＩＤ情報「３３」とを含んだ表示用情報を電子棚札端末システムに送信する例については、電子棚札端末装置３２のＩＤ情報「３２」とを含んだ情報を電子棚札端末装置グループに送信する例と同様に、電子棚札端末装置３１のＣＰＵ３１２は表示用情報に含まれたＩＤ情報に基づいて、該当する電子棚札端末装置３３の表示部３３３に価格等を表示させる。
【００５７】
上述したとおり、電子棚札端末システムに含まれる電子棚札端末装置３１〜３３のうち、電子棚札端末装置３２，３３は無線通信部およびＣＰＵを備えることなく、電子棚札端末装置３１のみが無線通信部３１１およびＣＰＵ３１２を備えることで、管理装置から送信された表示用情報を受信し、受信した表示用情報に基づいて商品の価格等を表示部３１３，３２３，３３３に表示することができる。よって、従来の電子棚札端末装置と比較して、無線通信部とＣＰＵの数が少なく済むため、部品コストをより低くすることができ、部品実装スペースをより小さくすることができ、消費電力をより低減することが可能となる。
【００５８】
（第４の実施形態）
以下、本発明の第４の実施形態について図面を参照して説明する。電子棚札端末システムを有する電子棚札システムの構成については第１の実施形態と同様である。図５は、本実施形態での電子棚札端末システムの構成を示した構成図である。電子棚札端末システムは、複数の電子棚札端末装置を含んだシステムである。図示する例では、電子棚札端末システムは、電子棚札端末制御装置４０と、電子棚札端末装置４１〜４３の３つの電子棚札端末装置とを含んだ構成である。電子棚札端末制御装置４０と、電子棚札端末装置４１と、電子棚札端末装置４２と、電子棚札端末装置４３とは有線で接続されており、互いに情報を入出力することができる。
【００５９】
電子棚札端末制御装置４０は、無線通信部４０１と、ＣＰＵ４０２とを備える。電子棚札端末装置４１は、表示部４１３と、表示セグメントドライバ４１４と、表示コモンドライバ４１５とを備える。電子棚札端末装置４２は、表示部４２３と、表示セグメントドライバ４２４と、表示コモンドライバ４２５とを備える。電子棚札端末装置４３は、表示部４３３と、表示セグメントドライバ４３４と、表示コモンドライバ４３５とを備える。
【００６０】
ＣＰＵ４０２は、無線通信部４０１と、表示セグメントドライバ４１４，４２４，４３４と、表示コモンドライバ４１５，４２５，４３５とを制御する機能を有している。ＣＰＵ４０２は、無線通信部４０１を制御し、管理装置から送信された表示用情報を受信する。また、ＣＰＵ４０２は、無線通信部４０１を介して受信した表示用情報に基づいて、表示セグメントドライバ４１４，４２４，４３４と、表示コモンドライバ４１５，４２５，４３５とを制御し、表示部４１３，４２３，４３３に商品の価格等を表示させる。表示させる手順については後述する。
【００６１】
なお、表示部４１３，４２３，４３３は液晶パネルである。また、表示セグメントドライバ４１４，４２４，４３４と、表示コモンドライバ４１５，４２５，４３５は、表示部４１３，４２３，４３３の表示を制御する。
【００６２】
また、電子棚札端末制御装置４０が備えるＣＰＵ４０２は、内蔵または外付けのメモリ（記憶部）を備えており、電子棚札端末装置４１〜４３が持つ固有のＩＤ情報をメモリ内に格納している。例えば、電子棚札端末装置４１のＩＤ情報は「４１」であり、電子棚札端末装置４２のＩＤ情報は「４２」であり、電子棚札端末装置４３のＩＤ情報は「４３」であると予め設定する。
【００６３】
次に、本実施形態において、電子棚札端末装置４１〜４３が価格などの情報を表示する手順ついて説明する。以下、管理装置が、価格等の情報と電子棚札端末装置４１のＩＤ情報「４１」とを含んだ表示用情報を電子棚札端末システムに送信する例を説明する。
【００６４】
電子棚札端末制御装置４０のＣＰＵ４０２は、無線通信部４０１を介して電子棚札端末装置４１のＩＤ情報「４１」を含んだ表示用情報を受信する。続いて、受信した表示用情報に含まれるＩＤ情報は、自電子棚札端末システムに含まれている電子棚札端末装置４１のＩＤ情報であるため、ＣＰＵ４０２は、自身のメモリに表示用情報を格納する。続いて、ＣＰＵ４０２は表示タイミング信号を生成する。その後、ＣＰＵ４０２は、表示タイミング信号と表示用情報とを電子棚札端末装置４１の表示セグメントドライバ４１４と、表示コモンドライバ４１５とに送信し、表示部４１３に価格等を表示させる。
【００６５】
なお、管理装置が、価格等の情報と電子棚札端末装置４２のＩＤ情報「４２」とを含んだ表示用情報を電子棚札端末システムに送信する例については、電子棚札端末装置４１のＩＤ情報「４１」とを含んだ情報を電子棚札端末システムに送信する例と同様に、電子棚札端末制御装置４０の無線制御用ＣＰＵ４０２は表示用情報に含まれたＩＤ情報に基づいて、該当する電子棚札端末装置４２の表示部４２３に価格等を表示させる。
【００６６】
上述したとおり、電子棚札端末システムは電子棚札端末制御装置４０を含み、電子棚札端末装置４１，４２，４３は無線通信部およびＣＰＵを備えることなく、電子棚札端末制御装置４０のみが無線通信部４０１およびＣＰＵ４０２を備えることで、管理装置から送信された表示用情報を受信し、受信した表示用情報に基づいて商品の価格等を表示部４１３，４２３，４３３に表示することができる。よって、従来の電子棚札端末装置と比較して、無線通信部とＣＰＵとの数が少なく済むため、部品コストをより低くすることができ、部品実装スペースをより小さくすることができ、消費電力をより低減することが可能となる。
【００６７】
（第５の実施形態）
以下、本発明の第５の実施形態について図面を参照して説明する。電子棚札端末システムを有する電子棚札システムの構成については第１の実施形態と同様である。図６は、本実施形態での電子棚札端末システムの構成を示した構成図である。電子棚札端末システムは、複数の電子棚札端末装置を含んだシステムである。図示する例では、電子棚札端末システム５０は、電子棚札端末装置５１〜５３の３つの電子棚札端末装置を含んだ構成であり、電子棚札端末装置５１〜５３は１つの基板上で構成されており、電子棚札端末装置５１と、電子棚札端末装置５２と、電子棚札端末装置５３と、ＣＰＵ５０２とは、互いに情報を入出力することができる構成である。
【００６８】
電子棚札端末システム５０は、無線通信部５０１と、ＣＰＵ５０２と、電子棚札端末装置５１〜５３とを備える。電子棚札端末装置５１は、表示部５１３と、表示セグメントドライバ５１４と、表示コモンドライバ５１５とを備える。電子棚札端末装置５２は、表示部５２３と、表示セグメントドライバ５２４と、表示コモンドライバ５２５とを備える。電子棚札端末装置５３は、表示部５３３と、表示セグメントドライバ５３４と、表示コモンドライバ５３５とを備える。
【００６９】
ＣＰＵ５０２は、無線通信部５０１と、表示セグメントドライバ５１４，５２４，５３４と、表示コモンドライバ５１５，５２５，５３５とを制御する機能を有している。ＣＰＵ５０２は、無線通信部５０１を制御し、管理装置から送信された表示用情報を受信する。また、ＣＰＵ５０２は、無線通信部５０１を介して受信した表示用情報に基づいて、表示セグメントドライバ５１４，５２４，５３４と、表示コモンドライバ５１５，５２５，５３５とを制御し、表示部５１３，５２３，５３３に商品の価格等を表示させる。表示させる手順については後述する。
【００７０】
なお、表示部５１３，５２３，５３３は液晶パネルである。また、表示セグメントドライバ５１４，５２４，５３４と、表示コモンドライバ５１５，５２５，５３５は、表示部５１３，５２３，５３３の表示を制御する。
【００７１】
また、電子棚札端末システム５０が備えるＣＰＵ５０２は、内蔵または外付けのメモリ（記憶部）を備えており、電子棚札端末装置５１〜５３が持つ固有のＩＤ情報をメモリ内に格納している。例えば、電子棚札端末装置５１のＩＤ情報は「５１」であり、電子棚札端末装置５２のＩＤ情報は「５２」であり、電子棚札端末装置５３のＩＤ情報は「５３」であると予め設定する。
【００７２】
次に、本実施形態において、電子棚札端末装置５１〜５３が価格などの情報を表示する手順について説明する。以下、管理装置が、価格等の情報と電子棚札端末装置５１のＩＤ情報「５１」とを含んだ表示用情報を電子棚札端末システムに送信する例を説明する。
【００７３】
電子棚札端末制御システム５０のＣＰＵ５０２は、無線通信部５０１を介して電子棚札端末装置５１のＩＤ情報「５１」を含んだ表示用情報を受信する。続いて、受信した表示用情報に含まれるＩＤ情報は、自電子棚札端末システム５０に含まれている電子棚札端末装置５１のＩＤ情報であるため、ＣＰＵ５０２は、自身が備えるメモリに表示用情報を格納する。続いて、ＣＰＵ５０２は表示タイミング信号を生成する。その後、ＣＰＵ５０２は、表示タイミング信号と表示用情報とを電子棚札端末装置５１の表示セグメントドライバ５１４と、表示コモンドライバ５１５とに送信し、表示部５１３に価格等を表示させる。
【００７４】
なお、管理装置が、価格等の情報と電子棚札端末装置５２のＩＤ情報「５２」とを含んだ表示用情報を電子棚札端末システムに送信する例については、電子棚札端末装置５１のＩＤ情報「５１」を含んだ表示用情報を電子棚札端末システムに送信する例と同様に、電子棚札端末制御装置５０のＣＰＵ５０２は表示用情報に含まれたＩＤ情報に基づいて、該当する電子棚札端末装置５２の表示部５２３に価格等を表示させる。
【００７５】
上述したとおり、電子棚札端末システム５０に含まれる電子棚札端末装置５１〜５３のうち、電子棚札端末装置５１，５２，５３は無線通信部およびＣＰＵを備えることなく、電子棚札端末システム５０のみが無線通信部５１１およびＣＰＵ５１２を備えることで、管理装置から送信された表示用情報を受信し、受信した表示用情報に基づいて商品の価格等を表示部５１３，５２３，５３３に表示することができる。よって、従来の電子棚札端末装置と比較して、無線通信部とＣＰＵの数が少なく済むため、部品コストをより低くすることができ、部品実装スペースをより小さくすることができ、消費電力をより低減することが可能となる。
【００７６】
（第６の実施形態）
以下、本発明の第６の実施形態について図面を参照して説明する。電子棚札端末システムを有する電子棚札システムの構成については第１の実施形態と同様である。図７は、本実施形態での電子棚札端末システムの構成を示した構成図である。電子棚札端末システムは、複数の電子棚札端末装置を含んだシステムである。
【００７７】
図示する例では、電子棚札端末システム６０は、電子棚札端末装置６１〜６３の３つの電子棚札端末装置を含んだ構成であり、電子棚札端末装置６１〜６３は１つの基板上で構成されており、電子棚札端末装置６１と、電子棚札端末装置６２と、電子棚札端末装置６３と、ＣＰＵ６０２とは、互いに情報を入出力することができる構成である。また、電子棚札端末装置６１〜６３は１つの表示部６０３を共有している。表示部６０３は、表示領域６１３，６２３，６３３と、非表示領域６４３，６５３とを備えている。共有している表示部６０３のうち、電子棚札端末６１は表示領域６１３を使用し、電子棚札端末６２は表示領域６２３を使用し、電子棚札端末６３は表示領域６３３を使用する。
【００７８】
電子棚札端末システム６０は、無線通信部６０１と、ＣＰＵ６０２と、表示コモンドライバ６０５と、電子棚札端末装置６１〜６３とを備える。電子棚札端末装置６１は、表示領域６１３と、表示セグメントドライバ６１４とを備える。電子棚札端末装置６２は、表示領域６２３と、表示セグメントドライバ６２４とを備える。電子棚札端末装置６３は、表示領域６３３と、表示セグメントドライバ６３４とを備える。
【００７９】
ＣＰＵ６０２は、無線通信部６０１と、表示セグメントドライバ６１４，６２４，６３４と、表示コモンドライバ６０５とを制御する機能を有している。ＣＰＵ６０２は、無線通信部６０１を制御し、管理装置から送信された表示用情報を受信する。また、ＣＰＵ６０２は、無線通信部６０１を介して受信した表示用情報に基づいて、表示セグメントドライバ６１４，６２４，６３４と、表示コモンドライバ６０５とを制御し、表示部６０３の表示領域６１３，６２３，６３３に商品の価格等を表示させる。表示させる手順については後述する。
【００８０】
なお、表示部６０３は液晶パネルである。また、非表示領域６４３，６５３は何も表示しない。また、表示セグメントドライバ６１４，６２４，６３４と、表示コモンドライバ６０５は、表示部６０３の表示領域６１３，６２３，６３３の表示を制御する。
【００８１】
また、電子棚札端末システム６０が備えるＣＰＵ６０２は、内蔵または外付けのメモリ（記憶部）を備えており、電子棚札端末装置６１〜６３が持つ固有のＩＤ情報をメモリ内に格納している。例えば、電子棚札端末装置６１のＩＤ情報は「６１」であり、電子棚札端末装置６２のＩＤ情報は「６２」であり、電子棚札端末装置６３のＩＤ情報は「６３」であると予め設定する。
【００８２】
次に、本実施形態において、電子棚札端末装置６１〜６３が価格などの情報を表示する手順ついて説明する。以下、管理装置が、価格等の情報と電子棚札端末装置６１のＩＤ情報「６１」とを含んだ表示用情報を電子棚札端末システムに送信する例を説明する。
【００８３】
電子棚札端末制御システム６０のＣＰＵ６０２は、無線通信部６０１を介して電子棚札端末装置６１のＩＤ情報「６１」を含んだ表示用情報を受信する。続いて、受信した表示用情報に含まれるＩＤ情報は、自電子棚札端末システム６０に含まれている電子棚札端末装置６１のＩＤ情報であるため、ＣＰＵ６０２は、自身が備えるメモリに表示用情報を格納する。続いて、ＣＰＵ６０２は表示タイミング信号を生成する。その後、ＣＰＵ６０２は、表示タイミング信号と表示用情報とを電子棚札端末装置６１の表示セグメントドライバ６１４と、表示コモンドライバ６０５とに送信し、表示部６０３の表示領域６１３に価格等を表示させる。
【００８４】
なお、管理装置が、価格等の情報と電子棚札端末装置６２のＩＤ情報「６２」とを含んだ表示用情報を電子棚札端末システムに送信する例については、電子棚札端末装置６１のＩＤ情報「６１」を含んだ表示用情報を電子棚札端末システムに送信する例と同様に、電子棚札端末制御装置６０のＣＰＵ６０２は表示用情報に含まれたＩＤ情報に基づいて、該当する電子棚札端末装置６２の表示部６２３に価格等を表示させる。
【００８５】
上述したとおり、電子棚札端末システム６０に含まれる電子棚札端末装置６１〜６３のうち、電子棚札端末装置６１，６２，６３は無線通信部と、ＣＰＵと、表示コモンドライバとを備えることなく、電子棚札端末システム６０のみが無線通信部６０１と、ＣＰＵ６０２と、表示コモンドライバ６０５とを備えることで、管理装置から送信された表示用情報を受信し、受信した表示用情報に基づいて商品の価格等を表示領域６１３，６２３，６３３に表示することができる。また、電子棚札端末装置６１〜６３は表示部６０３を共有している。よって、従来の電子棚札端末装置と比較して、無線通信部とＣＰＵと表示コモンドライバと表示部の数が少なく済むため、部品コストをより低くすることができ、部品実装スペースをより小さくすることができ、消費電力をより低減することが可能となる。
【００８６】
（第７の実施形態）
以下、本発明の第７の実施形態について図面を参照して説明する。電子棚札端末システムを有する電子棚札システムの構成については第１の実施形態と同様である。図８は、本実施形態での電子棚札端末システムの構成を示した構成図である。電子棚札端末システムは、複数の電子棚札端末装置を含んだシステムである。図示する例では、電子棚札端末システム７０は、電子棚札端末装置７１〜７３の３つの電子棚札端末装置を含んだ構成であり、電子棚札端末装置７１〜７３は１つの基板上で構成されており、電子棚札端末装置７１と、電子棚札端末装置７２と、電子棚札端末装置７３と、ＣＰＵ７０２とは、互いに情報を入出力することができる構成である。
【００８７】
電子棚札端末システム７０は、無線通信部７０１と、ＣＰＵ７０２と、表示コモンドライバ７０５と、電子棚札端末装置７１〜７３とを備える。電子棚札端末装置７１は、表示部７１３と、表示セグメントドライバ７１４とを備える。電子棚札端末装置７２は、表示部７２３と、表示セグメントドライバ７２４とを備える。電子棚札端末装置７３は、表示部７３３と、表示セグメントドライバ７３４とを備える。表示部７１３と、表示部７２３とはフレキシブル回路基板７０６で接続されている。また、表示部７２３と、表示部７３３とはフレキシブル回路基板７０７で接続されている。
【００８８】
ＣＰＵ７０２は、無線通信部７０１と、表示セグメントドライバ７１４，７２４，７３４と、表示コモンドライバ７０５とを制御する機能を有している。ＣＰＵ７０２は、無線通信部７０１を制御し、管理装置から送信された表示用情報を受信する。また、ＣＰＵ７０２は、無線通信部７０１を介して受信した表示用情報に基づいて、表示セグメントドライバ７１４，７２４，７３４と、表示コモンドライバ７０５とを制御し、表示部７１３，７２３，７３３に商品の価格等を表示させる。表示させる手順については後述する。なお、表示コモンドライバ７０５と表示部７２３，７２４とは直接接続されていないが、表示部７１３と、表示部７２３間、および表示部７２３と、表示部７３３間はフレキシブル回路７０６，７０７で接続されているため、表示コモンドライバ７０５は表示部７２３，７３３を制御することが可能である。
【００８９】
なお、表示部７１３，７２３，７３３は液晶パネルである。また、表示セグメントドライバ７１４，７２４，７３４と、表示コモンドライバ７０５は、表示部７１３，７２３，７３３の表示を制御する。
【００９０】
また、電子棚札端末システム７０が備えるＣＰＵ７０２は、内蔵または外付けのメモリ（記憶部）を備えており、電子棚札端末装置７１〜７３が持つ固有のＩＤ情報をメモリ内に格納している。例えば、電子棚札端末装置７１のＩＤ情報は「７１」であり、電子棚札端末装置７２のＩＤ情報は「７２」であり、電子棚札端末装置７３のＩＤ情報は「７３」であると予め設定する。
【００９１】
次に、本実施形態において、電子棚札端末装置７１〜７３が価格などの情報を表示する手順について説明する。以下、管理装置が、価格等の情報と電子棚札端末装置７１のＩＤ情報「７１」とを含んだ表示用情報を電子棚札端末システムに送信する例を説明する。
【００９２】
電子棚札端末制御システム７０のＣＰＵ７０２は、無線通信部７０１を介して電子棚札端末装置７１のＩＤ情報「７１」を含んだ表示用情報を受信する。続いて、受信した表示用情報に含まれるＩＤ情報は、自電子棚札端末システム７０に含まれている電子棚札端末装置７１のＩＤ情報であるため、ＣＰＵ７０２は、自身が備えるメモリに表示用情報を格納する。続いて、ＣＰＵ７０２は表示タイミング信号を生成する。その後、ＣＰＵ７０２は、表示タイミング信号と表示用情報とを、表示コモンドライバ７０５と電子棚札端末装置７１の表示セグメントドライバ７１４とに送信し、表示部７１３に価格等を表示させる。
【００９３】
なお、管理装置が、価格等の情報と電子棚札端末装置７２のＩＤ情報「７２」とを含んだ表示用情報を電子棚札端末システムに送信する例については、電子棚札端末装置７１のＩＤ情報「７１」を含んだ表示用情報を電子棚札端末システムに送信する例と同様に、電子棚札端末制御装置７０のＣＰＵ７０２は表示用情報に含まれたＩＤ情報に基づいて、該当する電子棚札端末装置７２の表示部７２３に価格等を表示させる。
【００９４】
上述したとおり、電子棚札端末システム７０に含まれる電子棚札端末装置７１〜７３のうち、電子棚札端末装置７１，７２，７３は無線通信部と、ＣＰＵと、表示コモンドライバとを備えることなく、電子棚札端末システム７０のみが無線通信部７０１と、ＣＰＵ７０２と、表示コモンドライバ７０５とを備えることで、管理装置から送信された表示用情報を受信し、受信した表示用情報に基づいて表示部７１３，７２３，７３３に商品の価格等を表示することができる。よって、従来の電子棚札端末装置と比較して、無線通信部とＣＰＵと表示コモンドライバとの数が少なく済むため、部品コストをより低くすることができ、部品実装スペースをより小さくすることができ、消費電力をより低減することが可能となる。
【００９５】
また、第１の実施形態〜第７の実施形態で説明した電子棚札端末システムを電子棚札システムに組み込むことにより、電子棚札システムを低コストで構築することができ、また、電子棚札システム全体の消費電力を低く抑えることができる。また、中継器を介して管理装置と電子棚札端末システムとを無線接続することにより、管理装置と電子棚札端末システムとが物理的に遠く離れていても、電子棚札端末装置の表示内容を効率良く変更することができる。
【００９６】
なお、従来技術では電子棚札端末装置毎に電池を備えているが、第１の実施形態〜第７の実施形態では、１つの電子棚札端末システムに１つの電池を備え、各電子棚札端末装置で電池を共有する構成としても良い。
【００９７】
また、第１の実施形態〜第５の実施形態では、電子棚札端末装置を横に配列した例であるが、電子棚札端末装置を縦方向に配列しても良い。
【００９８】
また、第６の実施形態と第７の実施形態においては、表示コモンドライバを各電子棚札端末装置で共有し、電子棚札端末装置を横に配列した例を示したが、表示コモンドライバではなく表示セグメントドライバを各電子棚札端末装置で共有し、電子棚札端末装置を縦に配列しても良い。
【００９９】
また、第１の実施形態〜第５の実施形態では、各電子棚札端末装置は有線で接続されているが、ブロックのように電子棚札端末装置同士を結合して接続しても良い。この際、電子棚札端末装置の間を空けて接続する必要がある場合は、接続用のみのブロックを使用して繋いでも良い。
【０１００】
以上、この発明の実施形態について図面を参照して詳述してきたが、具体的な構成はこの実施形態に限られるものではなく、この発明の要旨を逸脱しない範囲の設計等も含まれる。
【図面の簡単な説明】
【０１０１】
【図１】本発明の一実施形態による電子棚札端末システムを有する電子棚札システムの構成を示した図である。
【図２】本発明の第１の実施形態における電子棚札端末システムの構成を示した構成図である。
【図３】本発明の第２の実施形態における電子棚札端末システムの構成を示した構成図である。
【図４】本発明の第３の実施形態における電子棚札端末システムの構成を示した構成図である。
【図５】本発明の第４の実施形態における電子棚札端末システムの構成を示した構成図である。
【図６】本発明の第５の実施形態における電子棚札端末システムの構成を示した構成図である。
【図７】本発明の第６の実施形態における電子棚札端末システムの構成を示した構成図である。
【図８】本発明の第７の実施形態における電子棚札端末システムの構成を示した構成図である。
【図９】電子棚札端末システムの構成を示した構成図である。
【符号の説明】
【０１０２】
１・・・管理装置、２・・・上位機器、３・・・ユーザ端末、４・・・中継器、５，５０，６０，７０・・・電子棚札端末システム、１１〜１３，２１〜２３，３１〜３３，４１〜４３，５１〜５３，６１〜６３，７１〜７３，８１・・・電子棚札端末装置、２０，４０・・・電子棚札端末制御装置、１１１，２０１，３１１，４０１，５０１，６０１，７０１，８０１・・・無線通信部（受信部）、１１２，３１２，４０２，５０２，６０２，７０２，８０２・・・ＣＰＵ、１１３，１２３，１３３，２１３，２２３，２３３，３１３，３２３，３３３，４１３，４２３，４３３，５１３，５２３，５３３，６０３，７１３，７２３，７３３，８０３・・・表示部、１１４，１２４，１３４，２１４，２２４，２３４，３１４，３２４，３３４，４１４，４２４，４３４，５１４，５２４，５３４，６１４，６２４，６３４，７１４，７２４，７３４，８０４・・・表示セグメントドライバ、１１５，１２５，１３５，２１５，２２５，２３５，３１５，３２５，３３５，４１５，４２５，４３５，５１５，５２５，５３５，６０５，７０５，８０５・・・表示コモンドライバ、１２２，１３２，２１２，２２２，２３２・・・表示制御用ＣＰＵ、２０２・・・無線制御用ＣＰＵ、６１３，６２３，６３３・・・表示領域、６４３，６５３・・・非表示領域、７０６，７０７・・・フレキシブル回路
【図１】
2009163340.tif 000003
【図２】
2009163340.tif 000004
【図３】
2009163340.tif 000005
【図４】
2009163340.tif 000006
【図５】
2009163340.tif 000007
【図６】
2009163340.tif 000008
【図７】
2009163340.tif 000009
【図８】
2009163340.tif 000010
【図９】
2009163340.tif 000011